(57)【特許請求の範囲】
【請求項１】
撮像結果に応じた撮像信号を生成するビデオカメラにおいて、
前記ビデオカメラの外部から複数のフォーマット指定信号が入力され、該複数のフォーマット指定信号と、フォーマットの指定が行われたことを示す複数の通知信号と、を出力する複数の入力手段と、
電源投入時は予め設定されたフォーマットを選択することを指示するフォーマット選択信号を出力し、電源投入時以降に前記複数の通知信号の何れか１つ入力された場合には、当該通知信号に対応するフォーマット指定信号を選択することを指示するフォーマット選択信号を出力するフォーマット選択制御手段と、
前記フォーマット選択制御手段から出力されたフォーマット選択信号により、前記複数の入力手段から出力された前記複数のフォーマット指定信号のなかから一のフォーマット指定信号を選択し、当該選択したフォーマット指定信号を出力する選択手段と、
前記フォーマット指定信号に対応したフォーマットの前記撮像信号を生成するための処理または動作を行う処理手段と、
前記撮像信号の前記複数のフォーマット指定信号のそれぞれに対応して、前記処理手段の設定を行うための設定用データを記憶する記憶手段と、
前記選択手段で選択された前記フォーマット指定信号に対応した前記設定用データを前記記憶手段から読み出し、当該読み出した設定用データに基づいて、前記処理手段を設定する設定手段と
を有するビデオカメラ。
【請求項２】
前記フォーマット選択制御手段は、予め決められた優先順位に従って前記複数の通知信号のなかから一の通知信号を選択し、当該選択された通知信号に対応するフォーマット指定信号を選択するための指示信号を前記選択手段に出力し、
前記選択手段は、前記指示信号に従って、前記複数のフォーマット指定信号のなかから一の前記フォーマット指定信号を選択する
請求項１に記載のビデオカメラ。
【請求項３】
前記フォーマット選択制御手段で選択される優先順位は、ユーザにより変更される
請求項２に記載のビデオカメラ。
【請求項４】
操作に応じた前記通知信号を生成し前記フォーマット選択制御手段に出力するとともに、前記通知信号に基づくフォーマット指定信号を生成し前記選択手段に出力する操作手段
をさらに有する請求項１に記載のビデオカメラ。
【請求項５】
前記入力手段は、前記ビデオカメラの外部から同期信号を入力し、当該同期信号に対応したフォーマットを検出し、当該検出したフォーマットを示す前記フォーマット指定信号を出力する
請求項１に記載のビデオカメラ。
【請求項６】
入力された前記同期信号を後段のビデオカメラに出力する出力手段
をさらに有する請求項５に記載のビデオカメラ。
【発明の詳細な説明】
【０００１】
【発明の属する技術分野】
本発明は、単体で、複数のフォーマットの撮像信号を生成できるビデオカメラに関する。
【０００２】
【従来の技術】
放送用などの業務用のビデオカメラは、レンズ絞り、輪郭補正およびガンマ補正などを行うＣＣＵ(Camera Control Unit) と呼ばれるカメラ制御装置に接続され、当該カメラ制御装置と一体でカメラシステムを構築し、使用されることがある。また、このようなビデオカメラは、ＶＴＲ(Video Tape Racoder)などの記録装置と接続され、ビデオカメラで撮像および信号処理して生成した所定のフォーマットの撮像信号を記録装置に記録する場合もある。
【０００３】
このようなビデオカメラは、標準フォーマットに対応した撮像信号をカメラ制御装置やＶＴＲに出力するために、ビデオカメラ内で独自に所定のフォーマットの撮像信号を生成したり、あるいは、外部から入力したリファレンス信号（同期信号）に同期した所定のフォーマットの撮像信号を生成する。
【０００４】
従来のビデオカメラは、通常、一つのフォーマットに対応した撮像信号についてのみ生成および出力が可能であり、フォーマット毎にビデオカメラが製造および使用されている。
例えば、ＨＤＴＶ(High Definition TV)用のビデオカメラは、例えば、単体で、走査線数が１０８０本で１秒間に６０フィールドの画像を有し走査線がインターレーススキャンされる１０８０／６０Ｉフォーマットの１種類の撮像信号を生成および出力する。
【０００５】
【発明が解決しようとする課題】
ところで、近年、高画質化やデジタル化の影響で、上述した１０８０／６０Ｉフォーマットの他にも、走査線数が７２０本で１秒間に６０フィールドの画像を有し走査線がプログレッシブスキャンされる７２０／６０Ｐフォーマットや、走査線数が１０８０本で１秒間に５０フィールドの画像を有し走査線がインターレーススキャンされる１０８０／５０Ｉフォーマットなどの多様なフォーマットの撮像信号が規格化および採用されている。
【０００６】
従って、ビデオカメラが、単体で、１種類のフォーマットの撮像信号しか生成および出力できないと、複数のフォーマットの撮像信号を使用するユーザは、使用する撮像信号のフォーマットの数だけビデオカメラを購入および使用する必要があり、価格および管理の面で負担が大ききという問題がある。
【０００７】
本発明は上述した従来技術の問題に鑑みてなされ、単体で、複数のフォーマットの撮像信号を生成できるビデオカメラを提供することを目的とする。
【０００８】
【課題を解決するための手段】
上述した従来技術の問題点を解決し、上述した目的を達成するために、本発明のビデオカメラは、撮像結果に応じた撮像信号を生成するビデオカメラにおいて、前記ビデオカメラの外部から複数のフォーマット指定信号が入力され、該複数のフォーマット指定信号と、フォーマットの指定が行われたことを示す複数の通知信号と、を出力する複数の入力手段と、電源投入時は予め設定されたフォーマットを選択することを指示するフォーマット選択信号を出力し、電源投入時以降に前記複数の通知信号の何れか１つ入力された場合には、当該通知信号に対応するフォーマット指定信号を選択することを指示するフォーマット選択信号を出力するフォーマット選択制御手段と、前記フォーマット選択制御手段から出力されたフォーマット選択信号により、前記複数の入力手段から出力された前記複数のフォーマット指定信号のなかから一のフォーマット指定信号を選択し、当該選択したフォーマット指定信号を出力する選択手段と、前記フォーマット指定信号に対応したフォーマットの前記撮像信号を生成するための処理または動作を行う処理手段と、前記撮像信号の前記複数のフォーマット指定信号のそれぞれに対応して、前記処理手段の設定を行うための設定用データを記憶する記憶手段と、前記選択手段で選択された前記フォーマット指定信号に対応した前記設定用データを前記記憶手段から読み出し、当該読み出した設定用データに基づいて、前記処理手段を設定する設定手段とを有する。
【０００９】
本発明のビデオカメラの作用は以下のようになる。
設定手段によって、フォーマット指定信号に対応した前記設定用データが記憶手段から読み出され、当該読み出された設定用データに基づいて、処理手段が、フォーマット指定信号が指定するフォーマットの撮像信号を生成するように設定される。
そして、処理手段によって、複数のフォーマットのうち設定に応じたフォーマットの撮像信号が生成される。
すなわち、本発明のビデオカメラによれば、記憶手段に記憶された複数の設定用データに対応する複数のフォーマットの撮像信号を、ハードウェアを交換などすることなく、単体で生成可能である。
【００１１】
また、本発明のビデオカメラは、好ましくは、前記フォーマット選択制御手段は、予め決められた優先順位に従って前記複数の通知信号のなかから一の通知信号を選択し、当該選択された通知信号に対応するフォーマット指定信号を選択するための指示信号を前記選択手段に出力し、前記選択手段は、前記指示信号に従って、前記複数のフォーマット指定信号のなかから一の前記フォーマット指定信号を選択する。
また、本発明のビデオカメラは、好ましくは、フォーマット選択制御手段で選択される優先順位は、ユーザにより変更される。
【００１２】
また、本発明のビデオカメラは、好ましくは、操作に応じた前記通知信号を生成し前記フォーマット選択制御手段に出力するとともに、前記通知信号に基づくフォーマット指定信号を生成し前記選択手段に出力する操作手段をさらに有する。
【００１３】
また、本発明のビデオカメラは、好ましくは、前記ビデオカメラの外部から同期信号を入力し、当該同期信号に対応したフォーマットを検出し、当該検出したフォーマットを示す前記フォーマット指定信号を出力する外部同期信号の入力手段を有する。
【００１４】
また、本発明のビデオカメラは、好ましくは、入力された前記同期信号を後段のビデオカメラに出力する出力手段をさらに有する。
【００１５】
本発明のビデオカメラによれば、前記出力手段を後段のビデオカメラの前記入力手段に接続し、入力手段から入力した同期信号を後段のビデオカメラに出力することで、複数のビデオカメラにおいて、共通のフォーマットの相互に同期した撮像信号を生成できる。
【００１６】
【発明の実施の形態】
以下、本発明の実施形態に係わるビデオカメラについて説明する。
図１は、本実施形態のビデオカメラ１の入出力関係を説明するための図である。
図１に示すように、ビデオカメラ１は、例えば、スタンドアローン（単体）で使用される他、ＶＴＲ２と、マスタ制御ユニット(MCU: Master Control Unit)３と、外部コンソール４と、カメラ制御装置５とが接続可能である。
ＶＴＲ２は、ビデオカメラ１から、撮像画像に応じた所定のフォーマットの撮像信号を入力して磁気テープに記録する。
マスタ制御ユニット３は、例えば、コントールパネルであり、例えば、ユーザによるボタン操作などに応じた操作信号をビデオカメラ１を含む複数のビデオカメラ１に対して出力し、これらを統括的に制御する。
ビデオカメラ１は、当該操作信号に基づいて、所定の処理を行う。
【００１７】
外部コンソール４は、例えば、ビデオカメラ１とは別に設けられた制御手段であり、例えば、ユーザによる制御手段の操作に応じた操作信号をビデオカメラ１に出力する。
【００１８】
カメラ制御装置５は、ビデオカメラ１からの撮像信号を入力し、当該撮像装置に対して輪郭補正およびガンマ補正などを行い、その結果得られた撮像信号をスイッチャ装置などに出力する。
また、カメラ制御装置５は、ビデオカメラ１のレンズ絞り、カラーフィルタなどの選択などの制御を行う。
【００１９】
また、ビデオカメラ１は、例えば、後述するように、複数のビデオカメラから共通のフォーマットで同期した撮像信号を出力させるための外部同期信号Ｓ６を入力可能である。
ビデオカメラ１は、外部同期信号Ｓ６を入力すると、当該外部同期信号Ｓ６のフォーマットを検出し、当該検出したフォーマットも対応した撮像信号を、当該外部同期信号Ｓ６に同期したタイミングでカメラ制御装置５などに出力する。
【００２０】
図２は、図１に示すビデオカメラ１の機能ブロック図である。
図２に示すように、ビデオカメラ１は、例えば、ビューファインダ１０、マスタ制御ユニットＩ／Ｆ部１１、外部コンソールＩ／Ｆ部１２、外部同期信号Ｉ／Ｆ部１３、フォーマット選択制御部１４、フォーマット選択部１５、システム制御部１６、テーブル選択部１７、１０８０／６０Ｉ用テーブル１８、１０８０／５０Ｉ用テーブル１９、１０８０／３０Ｐ用テーブル２０、１０８０／２４Ｐ用テーブル２１、カメラヘッドブロック２２、ＤＳＰ(Digital Signal Processor)２３、シリアル伝送ブロック２４、信号発生ブロック２５、外部同期信号Ｉ／Ｆ部２６および記憶部２７を有する。
ここで、カメラヘッドブロック２２、ＤＳＰ２３、シリアル伝送ブロック２４および信号発生ブロック２５が本発明の処理手段に対応し、記憶部２７が本発明の記憶手段に対応し、システム制御部１６が本発明の設定手段に対応している。
また、フォーマット選択制御部１４およびフォーマット選択部１５が本発明の選択手段に対応し、ビューファインダ１０が本発明の操作手段に対応し、マスタ制御ユニットＩ／Ｆ部１１、外部コンソールＩ／Ｆ部１２および外部同期信号Ｉ／Ｆ部１３が本発明の入力手段に対応し、外部同期信号出力Ｉ／Ｆ部２６が本発明の出力手段に対応している。
なお、図２では、ビデオカメラ１の機能のうち、主に、フォーマット選択およびフォーマット設定に関係する機能を示し、それ以外の撮像などの機能に関しては省略している。
【００２１】
ビューファインダ１０は、ビデオカメラ１に一体的に設けられ、例えば、ユーザによる操作に応じて表示されたメニュー画面に従って、ユーザが、ＨＤＴＶ対応の１０８０／６０Ｉ、１０８０／５０Ｉ、１０８０／３０Ｐ、１０８０／２４Ｐのなかから希望するフォーマットを選択すると、当該選択したフォーマットを示すフォーマット指定信号Ｓ１０ａをフォーマット選択部１５に出力し、フォーマットの指定が行われたことを示す通知信号Ｓ１０ｂをフォーマット選択制御部１４に出力する。
ビューファインダ１０は、メニュー画面の他にも、ビデオカメラ１の撮像画面などを表示可能である。
【００２２】
マスタ制御ユニットＩ／Ｆ部１１は、図１に示すマスタ制御ユニット３と通信を行うためのインターフェースであり、マスタ制御ユニット３から入力したフォーマット指定信号Ｓ３をフォーマット選択部１５に出力し、フォーマットの指定が行われたことを示す通知信号Ｓ１１をフォーマット選択制御部１４に出力する。
フォーマット指定信号Ｓ３が示すフォーマットは、例えば、上述したフォーマット指定信号Ｓ１０が指定可能な４つのフォーマットのうち一つである。
【００２３】
外部コンソールＩ／Ｆ部１２は、図１に示す外部コンソール４と通信を行うためのインターフェースであり、外部コンソール４から入力したフォーマット指定信号Ｓ４をフォーマット選択部１５に出力し、フォーマットの指定が行われたことを示す通知信号Ｓ１２をフォーマット選択制御部１４に出力する。
フォーマット指定信号Ｓ４が示すフォーマットは、例えば、上述したフォーマット指定信号Ｓ１０が指定可能な４つのフォーマットのうち一つである。
【００２４】
外部同期信号Ｉ／Ｆ部１３は、図１に示すように、例えば、前段のビデオカメラなどの外部装置から入力した外部同期信号Ｓ６のフォーマットを検出し、当該検出したフォーマットを示すフォーマット指定信号Ｓ１３ａをフォーマット選択部１５に出力し、フォーマットの指定が行われたことを示す通知信号Ｓ１３ｂをフォーマット選択部１５に出力する。
外部同期信号Ｓ６のフォーマットは、例えば、上述したフォーマット指定信号Ｓ１０が指定可能な４つのフォーマットのうち一つである。
また、外部同期信号Ｉ／Ｆ部１３は、前段のビデオカメラなどの外部装置から入力した外部同期信号Ｓ６を、外部同期信号出力Ｉ／Ｆ部２６を介して後段のビデオカメラなどの外部装置に出力する。
【００２５】
フォーマット選択制御部１４は、電源投入時は、予め内部設定によって設定されたフォーマットを選択することを指示するフォーマット選択信号Ｓ１４をフォーマット選択部１５に出力する。
フォーマット選択制御部１４は、電源投入時以降に、ビューファインダ１０、マスタ制御ユニットＩ／Ｆ部１１、外部コンソールＩ／Ｆ部１２および外部同期信号Ｉ／Ｆ部１３の何れか一つから通知信号Ｓ１０ｂ，Ｓ１１，Ｓ１２，Ｓ１３ｂを入力した場合には、当該入力した通知信号に対応するフォーマット指定信号を選択することを指示するフォーマット選択信号Ｓ１４をフォーマット選択部１５に出力する。
また、フォーマット選択制御部１４は、ビューファインダ１０、マスタ制御ユニットＩ／Ｆ部１１、外部コンソールＩ／Ｆ部１２および外部同期信号Ｉ／Ｆ部１３のなかの２つ以上からフォーマット指定信号Ｓ１０ｂ，Ｓ１１，Ｓ１２，Ｓ１３ｂを入力した場合には、それらのなかから、例えば予め決められた優先順位に従って一の通知信号を選択し、当該選択した通知信号に対応するフォーマット指定信号を選択することを指示するフォーマット選択信号Ｓ１４をフォーマット選択部１５に出力する。
【００２６】
当該優先順位は、例えば、通知信号Ｓ１３ｂを最も高くし、Ｓ１３ｂＳ１２，Ｓ１１，Ｓ１０ｂの順に低くなるように決定する。
この場合には、外部同期信号Ｉ／Ｆ部１３から通知信号Ｓ１３ｂが入力されていれば、当該通知信号Ｓ１３ｂが選択され、通知信号Ｓ１３ｂが入力されておらず、通知信号Ｓ１２が入力されていれば、通知信号Ｓ１２が選択される。また、通知信号Ｓ１３ｂおよびＳ１２が入力されておらず、通知信号Ｓ１１が入力されていれば、当該通知信号Ｓ１１が選択される。また、通知信号Ｓ１３ｂ，Ｓ１２およびＳ１１が入力されておらず、通知信号Ｓ１０ｂ入力されていれば、当該通知信号Ｓ１０ｂが選択される。
なお、フォーマット選択制御部１４において採用される上記優先順位は、例えば、ユーザによって設定および変更が可能である。
【００２７】
フォーマット選択部１５は、ビューファインダ１０、マスタ制御ユニットＩ／Ｆ部１１、外部コンソールＩ／Ｆ部１２および外部同期信号Ｉ／Ｆ部１３からフォーマット指定信号Ｓ１０ａ，Ｓ３，Ｓ４，Ｓ１３ａを入力し、これらのうちフォーマット選択制御部１４からのフォーマット選択信号Ｓ１４によって選択指示されたフォーマット指定信号を選択してフォーマット選択信号Ｓ１５としてシステム制御部１６に出力する。
【００２８】
システム制御部１６は、フォーマット選択部１５から入力したフォーマット選択信号Ｓ１５をテーブル選択部１７に出力し、それに応じた設定用テーブルＳ１７をテーブル選択部１７から入力する。
システム制御部１６は、テーブル選択部１７から入力した設定用テーブルＳ１７に基づいて、カメラヘッドブロック２２、ＤＳＰ２３、シリアル伝送ブロック２４および信号発生ブロック２５を、選択されたフォーマットに合うように設定する。
具体的には、システム制御部１６は、設定用テーブルＳ１７に基づいて、カメラヘッドブロック２２におけるＣＣＤ(Charge Coupled Device) ブロック読み出し範囲、ＤＳＰ２３における信号処理方法、シリアル伝送ブロック２４におけるデータ伝送方式、および、信号発生ブロック２５において生成する信号の周波数などを選択されたフォーマットに合うように設定する。
ここで、カメラヘッドブロック２２、ＤＳＰ２３、シリアル伝送ブロック２４および信号発生ブロック２５は、例えば、システム制御部１６からの制御に基づいて、垂直同期信号、水平同期信号およびスキャン方式の種類に応じて内部の設定を変更可能な構成を有している。
【００２９】
テーブル選択部１７は、例えば、１０８０／６０Ｉ用テーブル１８、１０８０／５０Ｉ用テーブル１９、１０８０／３０Ｐ用テーブル２０および１０８０／２４Ｐ用テーブル２１を記憶した記憶部２７からシステム制御部１６から入力したフォーマット選択信号Ｓ１５が示すフォーマットに対応した設定用テーブルを読み出し、これを設定用テーブルＳ１７としてシステム制御部１６に出力する。
ここで、１０８０／６０Ｉ用テーブル１８、１０８０／５０Ｉ用テーブル１９、１０８０／３０Ｐ用テーブル２０および１０８０／２４Ｐ用テーブル２１が本発明の設定用データに対応している。
【００３０】
ここで、１０８０／６０Ｉ用テーブル１８は、走査線数が１０８０本で１秒間に６０フィールドの画像を有し走査線がインターレーススキャンされる１０８０／６０Ｉフォーマットの撮像信号をビデオカメラ１が生成および出力するように、カメラヘッドブロック２２、ＤＳＰ２３、シリアル伝送ブロック２４および信号発生ブロック２５内の設定を行うためのデータである。
１０８０／５０Ｉ用テーブル１９は、走査線数が１０８０本で１秒間に５０フィールドの画像を有し走査線がインターレーススキャンされる１０８０／５０Ｉフォーマットの撮像信号をビデオカメラ１が生成および出力するように、カメラヘッドブロック２２、ＤＳＰ２３、シリアル伝送ブロック２４および信号発生ブロック２５内の設定を行うためのデータである。
１０８０／３０Ｐ用テーブル２０は、走査線数が１０８０本で１秒間に３０フィールドの画像を有し走査線がプログレッシブスキャンされる１０８０／３０Ｐフォーマットの撮像信号をビデオカメラ１が生成および出力するように、カメラヘッドブロック２２、ＤＳＰ２３、シリアル伝送ブロック２４および信号発生ブロック２５内の設定を行うためのデータである。
１０８０／２４Ｐ用テーブル２１は、走査線数が１０８０本で１秒間に２４フィールドの画像を有し走査線がプログレッシブスキャンされる１０８０／２４Ｐフォーマットの撮像信号をビデオカメラ１が生成および出力するように、カメラヘッドブロック２２、ＤＳＰ２３、シリアル伝送ブロック２４および信号発生ブロック２５内の設定を行うためのデータである。
【００３１】
以下、図１および図２に示すビデオカメラ１の動作例を説明する。
〔第１の動作例〕
本動作例では、ビデオカメラ１に対して、外部同期信号Ｓ６が入力されておらず、図１に示すマスタ制御ユニット３からの１０８０／６０Ｉフォーマットを指定するフォーマット指定信号Ｓ３と、外部コンソール４からの１０８０／５０Ｉフォーマットを指定するフォーマット指定信号Ｓ４とが入力されている場合を説明する。
この場合には、図２に示すマスタ制御ユニットＩ／Ｆ部１１および外部コンソールＩ／Ｆ部１２に、それぞれフォーマット指定信号Ｓ３およびＳ４が入力され、フォーマット選択部１５に出力される。
また、マスタ制御ユニットＩ／Ｆ部１１およびコンソールＩ／Ｆ部１２からフォーマット選択制御部１４に、フォーマット指定が行われたことを示す通知信号Ｓ１１およびＳ１２が出力される。
【００３２】
次に、フォーマット選択制御部１４において、前述した優先順位に基づいて、通知信号Ｓ１１およびＳ１２のうち通知信号Ｓ１２が選択され、通知信号Ｓ１２に対応するフォーマット指定信号Ｓ４を選択することを指示するフォーマット選択信号Ｓ１４がフォーマット選択部１５に出力される。
【００３３】
次に、フォーマット選択部１５において、マスタ制御ユニットＩ／Ｆ部１１および外部コンソールＩ／Ｆ部１２から入力したフォーマット指定信号Ｓ３およびＳ４のうち、フォーマット選択信号Ｓ１４によって選択指示されたフォーマット指定信号Ｓ４が選択され、フォーマット指定信号Ｓ１５としてシステム制御部１６に出力される。
【００３４】
次に、システム制御部１６からテーブル選択部１７に、フォーマット指定信号Ｓ１５が出力される。
そして、テーブル選択部１７によって、フォーマット指定信号Ｓ１５が示す１０８０／５０Ｉフォーマットに対応する１０８０／５０Ｉ用テーブル１９が記憶部２７から読み出され、これが設定用テーブルＳ１７としてシステム制御部１６に出力される。
【００３５】
次に、システム制御部１６によって、設定用テーブルＳ１７に基づいて、カメラヘッドブロック２２、ＤＳＰ２３、シリアル伝送ブロック２４および信号発生ブロック２５が、１０８０／５０Ｉフォーマットの撮像信号を生成するように設定される。
そして、当該生成された１０８０／５０Ｉフォーマットの撮像信号が、ヒデオカメラ１から図１に示すＶＴＲ２あるいはカメラ制御装置５に出力される。
【００３６】
なお、上述した動作例では、フォーマット指定信号Ｓ４が１０８０／５０Ｉフォーマットを示している場合を例示したが、フォーマット指定信号Ｓ４が例えば１０８０／３０Ｐフォーマットを示している場合には、システム制御部１６によって、１０８０／３０Ｐ用テーブル２０に基づいて、カメラヘッドブロック２２、ＤＳＰ２３、シリアル伝送ブロック２４および信号発生ブロック２５が、１０８０／３０Ｐフォーマットの撮像信号を生成するように設定される。
【００３７】
〔第２の動作例〕
本動作例では、図２に示すビデオカメラ１と同じ構成のビデオカメラ１1 〜１n が、図３に示すように直列に接続され、初段のビデオカメラ１1 に入力された１０８０／５０Ｉフォーマットの外部同期信号Ｓ６が後段のビデオカメラに向けて順に出力される場合の動作を説明する。
この場合には、ビデオカメラ１1 の図２に示す外部同期信号Ｉ／Ｆ部１３において、入力された外部同期信号Ｓ６のフォーマットが検出され、当該検出したフォーマット（１０８０／５０Ｉフォーマット）を示すフォーマット指定信号Ｓ１３ａがフォーマット選択制御部１４およびフォーマット選択部１５に出力される。
また、外部同期信号Ｉ／Ｆ部１３からフォーマット選択制御部１４に、フォーマット指定が行われたことを示す通知信号Ｓ１３ｂが出力される。
【００３８】
次に、フォーマット選択制御部１４において、フォーマット指定信号Ｓ１３ａを選択することを指示するフォーマット選択信号Ｓ１４がフォーマット選択部１５に出力される。
【００３９】
次に、フォーマット選択部１５において、外部同期信号Ｉ／Ｆ部１３から入力されたフォーマット指定信号Ｓ１３ａが選択され、フォーマット指定信号Ｓ１５としてシステム制御部１６に出力される。
【００４０】
次に、システム制御部１６からテーブル選択部１７に、フォーマット指定信号Ｓ１５が出力される。
そして、テーブル選択部１７によって、フォーマット指定信号Ｓ１５が示す１０８０／５０Ｉフォーマットに対応する１０８０／５０Ｉ用テーブル１９が記憶部２７から読み出され、これが設定用テーブルＳ１７としてシステム制御部１６に出力される。
【００４１】
次に、システム制御部１６によって、設定用テーブルＳ１７に基づいて、カメラヘッドブロック２２、ＤＳＰ２３、シリアル伝送ブロック２４および信号発生ブロック２５が、１０８０／５０Ｉフォーマットの撮像信号を生成するように設定される。
【００４２】
ビデオカメラ１2 〜１n では、前段のビデオカメラから入力した外部同期信号Ｓ６に基づいて、上述したビデオカメラ１1 と同様の処理が行われ、１０８０／５０Ｉフォーマットの撮像信号が生成される。
そして、ビデオカメラ１1 〜１n において生成された１０８０／５０Ｉフォーマットの撮像信号が、同期がとれた状態で、図１に示すＶＴＲ２あるいはカメラ制御装置５に出力される。
【００４３】
なお、上述した動作例では、１０８０／５０Ｉフォーマットの外部同期信号Ｓ６を用いた場合を例示したが、例えば１０８０／３０Ｐフォーマットの外部同期信号Ｓ６を用いた場合には、システム制御部１６によって、１０８０／３０Ｐ用テーブル２０に基づいて、カメラヘッドブロック２２、ＤＳＰ２３、シリアル伝送ブロック２４および信号発生ブロック２５が、１０８０／５０Ｉフォーマットの撮像信号を生成するように設定される。
【００４４】
以上説明したように、ビデオカメラ１によれば、ハードウェアの交換および設定作業をユーザが行うことなく、単体で、複数のフォーマットのうち指定された任意のフォーマットの撮像信号を生成できる。
また、ビデオカメラ１によれば、内蔵したビューファインダ１０や、外部のＤＳＰ２３および外部コンソール４からの指示に応じて、単体で、複数のフォーマットのうち指定された任意のフォーマットの撮像信号を生成できる。
【００４５】
また、ビデオカメラ１によれば、撮像信号に新たなフォーマットが追加された場合でも、当該フォーマットに対応したテーブルを記憶部２７に新たに記憶することで、ハードウェア構成を変えることなく、当該新たなフォーマットの撮像信号を生成および出力できる。
【００４６】
また、ビデオカメラ１によれば、外部同期信号Ｓ６に基づいて、当該外部同期信号Ｓ６に対応したフォーマットの撮像信号を生成できることから、当該外部同期信号Ｓ６を複数のビデオカメラ１に入力することで、複数のビデオカメラ１の設定を一括して行い、共通のフォーマットの撮像信号を出力させることができる。
【００４７】
本発明は上述した実施形態には限定されない。
上述した実施形態では、撮像信号のフォーマットに応じて、カメラヘッドブロック２２、ＤＳＰ２３、シリアル伝送ブロック２４および信号発生ブロック２５を設定する場合を例示したが、必要に応じて、ビデオカメラ１内のそれ以外の機能を設定するようにしてもよい。
また、上述した第２動作例では、図３に示すように、ビデオカメラ１1 〜１n に外部同期信号Ｓ６を前段から後段に順次入力する場合を例示したが、図示しない装置から出力された外部同期信号Ｓ６をビデオカメラ１1 〜１n にそれぞれ並列に入力してもよい。
【００４８】
また、上述した実施形態では、ビューファインダ１０、マスタ制御ユニット３、外部コンソール４および外部同期信号Ｓ６に基づいて、撮像信号のフォーマットを指定した場合を例示したが、撮像信号のフォーマットを指定する装置および信号は任意である。
【００４９】
【発明の効果】
以上説明したように、本発明のビデオカメラによれば、ハードウェアの交換および設定作業をユーザが行うことなく、単体で、複数のフォーマットのうちフォーマット指定信号によって指定された任意のフォーマットの撮像信号を生成できる。
また、本発明のビデオカメラによれば、撮像信号に新たなフォーマットが追加された場合でも、当該フォーマットに対応した設定用データを記憶手段に新たに記憶することで、ハードウェア構成を変えることなく、当該新たなフォーマットの撮像信号を生成および出力できる。
また、本発明のビデオカメラによれば、前記入力手段および前記出力手段を設けたことで、複数のビデオカメラの設定を一括して行い、これらの複数のビデオカメラから共通のフォーマットの撮像信号を同期させて出力させることが可能になる。
【図面の簡単な説明】
【図１】図１は、本発明の実施形態のビデオカメラの入出力関係を説明するための図である。
【図２】図２は、図１に示すビデオカメラの機能ブロック図である。
【図３】図３は、図２に示すビデオカメラの使用形態の一例を説明するための図である。
【符号の説明】
１…ビデオカメラ、２…ＶＴＲ、３…マスタ制御ユニット、４…外部コンソール、５…カメラ制御装置、１０…ビューファインダ、１１…マスタ制御ユニットＩ／Ｆ部、１２…外部コンソールＩ／Ｆ部、１３…外部同期信号Ｉ／Ｆ部、１４…フォーマット選択制御部、１５…フォーマット選択部、１６…システム制御部、１７…テーブル選択部、１８…１０８０／６０Ｉ用テーブル、１９…１０８０／５０Ｉ用テーブル、２０…１０８０／３０Ｐ用テーブル、２１…１０８０／２４Ｐ用テーブル、２２…カメラヘッドブロック、２３…ＤＳＰ、２４…シリアル伝送ブロック、２５…信号発生ブロック
【図１】
0004362933.tif 000002
【図２】
0004362933.tif 000003
【図３】
0004362933.tif 000004